(57)【要約】【課題】  複数の記録層を有する光ディスクに対して、ユーザが複数層の中で所望の層を選択して、フォーマット処理、又はクローズ処理、又はファイナライズ処理、又はプロテクト処理を行うことができるようにする。【解決手段】  複数の記録層を有する光ディスクであって、各層を独立に又は複数の層で、フォーマット処理、又はクローズ処理、又はファイナライズ処理、又はプロテクト処理に対応し、さらに、ディスク上に各処理が実施された状態を管理する管理領域を備える。また、光ディスク装置であって、前記複数の記録層を有する光ディスクに対して各処理を実施する手段を備える。【選択図】  図５
2008282460.tif 000002
【特許請求の範囲】
【請求項１】
複数の記録層を有する光ディスクにおいて、
各層を独立に、又は複数の層で、データを記録可能な状態にするフォーマット処理に対応した層とし、
前記フォーマット処理された状態であることを管理するためのフォーマット管理領域を備えることを特徴とする光ディスク。
【請求項２】
複数の記録層を有する光ディスクにおいて、
各層を独立に、又は複数の層で、データを追加記録できない状態にするクローズ処理に対応した層とし、
前記クローズ処理された状態であることを管理するためのクローズ管理領域を備えることを特徴とする光ディスク。
【請求項３】
複数の記録層を有する光ディスクにおいて、
各層を独立に、又は複数の層で、再生専用ディスクにするファイナライズ処理に対応した層とし、
前記ファイナライズ処理された状態であることを管理するためのファイナライズ管理領域を備えることを特徴とする光ディスク。
【請求項４】
複数の記録層を有する光ディスクにおいて、
各層を独立に、又は複数の層で、一時的にデータを記録できない状態にするプロテクト処理に対応した層とし、
前記プロテクト処理された状態であることを管理するためのプロテクト管理領域を備えることを特徴とする光ディスク。
【請求項５】
複数の記録層を有し、各層を独立に、又は複数の層で、データを記録可能な状態にするフォーマット処理に対応した層とし、前記フォーマット処理された状態であることを管理するためのフォーマット管理領域を備える光ディスクにデータを記録再生する光ディスク装置において、
前記光ディスクの記録層にレーザを集光させる対物レンズを含む光学機構と、
前記光学機構の収差を補正する収差補正機構と、
前記収差補正機構を所定位置に制御する収差補正手段と、
前記レーザの発光を制御するレーザ発光制御手段と、
前記光ディスクに対して前記対物レンズを垂直方向に移動するフォーカスアクチュエータと、
前記光ディスクの各記録層に対して前記フォーカスアクチュエータを合焦点位置に制御するフォーカス制御手段と、
前記光ディスクに対して前記対物レンズを水平方向に移動するトラッキングアクチュエータと、
前記光ディスクの記録トラックに対して前記トラッキングアクチュエータを追従位置に制御するトラッキング制御手段と、
前記光ディスクに対して前記対物レンズをチルト方向に移動するチルトアクチュエータと、
前記光ディスクの各記録層の反り量に応じて前記チルトアクチュエータを制御するチルト制御手段と、
前記光ディスクを判定する媒体判定手段と、
前記光ディスクに対して前記フォーマット処理を行い、前記フォーマット管理領域の管理情報を更新するプログラムを内蔵した状態コントローラとを備え、
前記状態コントローラからの指令により、前記レーザ発光制御手段、及び前記フォーカス制御手段、及び前記トラッキング制御手段、及び前記チルト制御手段、及び収差補正手段は、前記レーザの発光状態、及び前記フォーカスアクチュエータ、及び前記トラッキングアクチュエータ、及び前記チルトアクチュエータ、及び前記収差補正機構をそれぞれ所定の位置に位置付け、さらに、前記状態コントローラから指令により、前記フォーマット処理を実施することを特徴とする光ディスク装置。
【請求項６】
請求項５に記載の光ディスク装置において、
前記光ディスク上の前記フォーマット管理領域に記録されている情報を読み出すフォーマット情報再生手段と、
前記フォーマット情報再生手段にて前記フォーマット管理領域を再生した結果より、前記光ディスクのどの層に対して前記フォーマット処理が実施されているか否かを判定するフォーマット状態判定手段と、
前記フォーカス制御手段、又はトラッキング制御手段、又は前記チルト制御手段、又は収差補正手段、又はレーザ発光制御手段に対して、前記光ディスクの感度補正を行うための学習プログラムを内蔵した学習コントローラとを備え、
前記フォーマット状態判定手段の判定結果に基づいて前記学習コントローラは、前記フォーマット処理が実施される層あるいは実施された層に対して、前記学習プログラムを適用することを特徴とする光ディスク装置。
【請求項７】
複数の記録層を有し、各層を独立に、又は複数の層で、データを追加記録できない状態にするクローズ処理に対応した層とし、前記クローズ処理された状態であることを管理するためのクローズ管理領域を備える光ディスクにデータを記録再生する光ディスク装置において、
前記光ディスクの記録層にレーザを集光させる対物レンズを含む光学機構と、
前記光学機構の収差を補正する収差補正機構と、
前記収差補正機構を所定位置に制御する収差補正手段と、
前記レーザの発光を制御するレーザ発光制御手段と、
前記光ディスクに対して前記対物レンズを垂直方向に移動するフォーカスアクチュエータと、
前記光ディスクの各記録層に対して前記フォーカスアクチュエータを合焦点位置に制御するフォーカス制御手段と、
前記光ディスクに対して前記対物レンズを水平方向に移動するトラッキングアクチュエータと、
前記光ディスクの記録トラックに対して前記トラッキングアクチュエータを追従位置に制御するトラッキング制御手段と、
前記光ディスクに対して前記対物レンズをチルト方向に移動するチルトアクチュエータと、
前記光ディスクの各記録層の反り量に応じて前記チルトアクチュエータを制御するチルト制御手段と、
前記光ディスクを判定する媒体判定手段と、
前記光ディスクに対して前記クローズ処理を行い、前記クローズ管理領域の管理情報を更新するプログラムを内蔵した状態コントローラとを備え、
前記状態コントローラからの指令により、前記レーザ発光制御手段、及び前記フォーカス制御手段、及び前記トラッキング制御手段、及び前記チルト制御手段、及び収差補正手段は、前記レーザの発光状態、及び前記フォーカスアクチュエータ、及び前記トラッキングアクチュエータ、及び前記チルトアクチュエータ、及び前記収差補正機構をそれぞれ所定の位置に位置付け、さらに、前記状態コントローラから指令により、前記クローズ処理を実施することを特徴とする光ディスク装置。
【請求項８】
請求項７に記載の光ディスク装置において、
前記光ディスク上の前記クローズ管理領域に記録されている情報を読み出すクローズ情報再生手段と、
前記クローズ情報再生手段にて前記クローズ管理領域を再生した結果より、前記光ディスクのどの層に対して前記クローズ処理が実施されているか否かを判定するクローズ状態判定手段と、
前記フォーカス制御手段、又はトラッキング制御手段、又は前記チルト制御手段、又は収差補正手段、又はレーザ発光制御手段に対して、前記光ディスクの感度補正を行うための学習プログラムを内蔵した学習コントローラとを備え、
前記クローズ状態判定手段の判定結果に基づいて前記学習コントローラは、前記クローズ処理が実施される層あるいは実施された層に対して、前記学習プログラムを適用することを特徴とする光ディスク装置。
【請求項９】
複数の記録層を有し、各層を独立に、又は複数の層で、再生専用ディスクにするファイナライズ処理に対応した層とし、前記ファイナライズ処理された状態であることを管理するためのファイナライズ管理領域を備える光ディスクにデータを記録再生する光ディスク装置において、
前記光ディスクの記録層にレーザを集光させる対物レンズを含む光学機構と、
前記光学機構の収差を補正する収差補正機構と、
前記収差補正機構を所定位置に制御する収差補正手段と、
前記レーザの発光を制御するレーザ発光制御手段と、
前記光ディスクに対して前記対物レンズを垂直方向に移動するフォーカスアクチュエータと、
前記光ディスクの各記録層に対して前記フォーカスアクチュエータを合焦点位置に制御するフォーカス制御手段と、
前記光ディスクに対して前記対物レンズを水平方向に移動するトラッキングアクチュエータと、
前記光ディスクの記録トラックに対して前記トラッキングアクチュエータを追従位置に制御するトラッキング制御手段と、
前記光ディスクに対して前記対物レンズをチルト方向に移動するチルトアクチュエータと、
前記光ディスクの各記録層の反り量に応じて前記チルトアクチュエータを制御するチルト制御手段と、
前記光ディスクを判定する媒体判定手段と、
前記光ディスクに対して前記ファイナライズ処理を行い、前記ファイナライズ管理領域の管理情報を更新するプログラムを内蔵した状態コントローラとを備え、
前記状態コントローラからの指令により、前記レーザ発光制御手段、及び前記フォーカス制御手段、及び前記トラッキング制御手段、及び前記チルト制御手段、及び収差補正手段は、前記レーザの発光状態、及び前記フォーカスアクチュエータ、及び前記トラッキングアクチュエータ、及び前記チルトアクチュエータ、及び前記収差補正機構をそれぞれ所定の位置に位置付け、さらに、前記状態コントローラから指令により、前記ファイナライズ処理を実施することを特徴とする光ディスク装置。
【請求項１０】
請求項９に記載の光ディスク装置において、
前記光ディスク上の前記ファイナライズ管理領域に記録されている情報を読み出すファイナライズ情報再生手段と、
前記ファイナライズ情報再生手段にて前記ファイナライズ管理領域を再生した結果より、前記光ディスクのどの層に対して前記ファイナライズ処理が実施されているか否かを判定するファイナライズ状態判定手段と、
前記フォーカス制御手段、又はトラッキング制御手段、又は前記チルト制御手段、又は収差補正手段、又はレーザ発光制御手段に対して、前記光ディスクの感度補正を行うための学習プログラムを内蔵した学習コントローラとを備え、
前記ファイナライズ状態判定手段の判定結果に基づいて前記学習コントローラは、前記ファイナライズ処理が実施される層あるいは実施された層に対して、前記学習プログラムを適用することを特徴とする光ディスク装置。
【請求項１１】
複数の記録層を有し、各層を独立に、又は複数の層で、一時的にデータを記録できない状態にするプロテクト処理に対応した層とし、前記プロテクト処理された状態であることを管理するためのプロテクト管理領域を備える光ディスクにデータを記録再生する光ディスク装置において、
前記光ディスクの記録層にレーザを集光させる対物レンズを含む光学機構と、
前記光学機構の収差を補正する収差補正機構と、
前記収差補正機構を所定位置に制御する収差補正手段と、
前記レーザの発光を制御するレーザ発光制御手段と、
前記光ディスクに対して前記対物レンズを垂直方向に移動するフォーカスアクチュエータと、
前記光ディスクの各記録層に対して前記フォーカスアクチュエータを合焦点位置に制御するフォーカス制御手段と、
前記光ディスクに対して前記対物レンズを水平方向に移動するトラッキングアクチュエータと、
前記光ディスクの記録トラックに対して前記トラッキングアクチュエータを追従位置に制御するトラッキング制御手段と、
前記光ディスクに対して前記対物レンズをチルト方向に移動するチルトアクチュエータと、
前記光ディスクの各記録層の反り量に応じて前記チルトアクチュエータを制御するチルト制御手段と、
前記光ディスクを判定する媒体判定手段と、
前記光ディスクに対して前記プロテクト処理を行い、前記プロテクト管理領域の管理情報を更新するプログラムを内蔵した状態コントローラとを備え、
前記状態コントローラからの指令により、前記レーザ発光制御手段、及び前記フォーカス制御手段、及び前記トラッキング制御手段、及び前記チルト制御手段、及び収差補正手段は、前記レーザの発光状態、及び前記フォーカスアクチュエータ、及び前記トラッキングアクチュエータ、及び前記チルトアクチュエータ、及び前記収差補正機構をそれぞれ所定の位置に位置付け、さらに、前記状態コントローラから指令により、前記プロテクト処理を実施することを特徴とする光ディスク装置。
【請求項１２】
請求項１１に記載の光ディスク装置において、
前記光ディスク上の前記プロテクト管理領域に記録されている情報を読み出すプロテクト情報再生手段と、
前記プロテクト情報再生手段にて前記プロテクト管理領域を再生した結果より、前記光ディスクのどの層に対して前記プロテクト処理が実施されているか否かを判定するプロテクト状態判定手段と、
前記フォーカス制御手段、又はトラッキング制御手段、又は前記チルト制御手段、又は収差補正手段、又はレーザ発光制御手段に対して、前記光ディスクの感度補正を行うための学習プログラムを内蔵した学習コントローラとを備え、
前記プロテクト状態判定手段の判定結果に基づいて前記学習コントローラは、前記プロテクト処理が実施される層あるいは実施された層に対して、前記学習プログラムを適用することを特徴とする光ディスク装置。
【請求項１３】
請求項５に記載の光ディスク装置に対応した光ディスク記録再生アプリケーションプログラムであって、
前記光ディスク装置を認識する機能と、
前記光ディスク装置から前記光ディスクの判定情報を受信する機能と、
前記光ディスク装置に対して前記フォーマット処理を行う指令を与えることを特徴とする光ディスク記録再生アプリケーションプログラム。
【請求項１４】
請求項１３に記載の光ディスク装置に対応した光ディスク記録再生アプリケーションプログラムにおいて、
使用者が記録層、又は再生層を選択する機能と、
使用者に対して記録可能な層、または再生可能な層を開示する機能と、
使用者から記録又は再生する層の要求がない場合に、自動的に記録する又は自動的に再生する層を選択する機能とを備え、
前記光ディスク装置に対してデータの記録再生を行う指令を与えることを特徴とする光ディスク記録再生アプリケーションプログラム。
【請求項１５】
請求項７に記載の光ディスク装置に対応した光ディスク記録再生アプリケーションプログラムであって、
前記光ディスク装置を認識する機能と、
前記光ディスク装置から前記光ディスクの判定情報を受信する機能と、
前記光ディスク装置に対して前記クローズ処理を行う指令を与えることを特徴とする光ディスク記録再生アプリケーションプログラム。
【請求項１６】
請求項１５に記載の光ディスク装置に対応した光ディスク記録再生アプリケーションプログラムにおいて、
使用者が記録層、又は再生層を選択する機能と、
使用者に対して記録可能な層、または再生可能な層を開示する機能と、
使用者から記録又は再生する層の要求がない場合に、自動的に記録する又は自動的に再生する層を選択する機能とを備え、
前記光ディスク装置に対してデータの記録再生を行う指令を与えることを特徴とする光ディスク記録再生アプリケーションプログラム。
【請求項１７】
請求項９に記載の光ディスク装置に対応した光ディスク記録再生アプリケーションプログラムであって、
前記光ディスク装置を認識する機能と、
前記光ディスク装置から前記光ディスクの判定情報を受信する機能と、
前記光ディスク装置に対して前記ファイナライズ処理を行う指令を与えることを特徴とする光ディスク記録再生アプリケーションプログラム。
【請求項１８】
請求項１７に記載の光ディスク装置に対応した光ディスク記録再生アプリケーションプログラムにおいて、
使用者が記録層、又は再生層を選択する機能と、
使用者に対して記録可能な層、または再生可能な層を開示する機能と、
使用者から記録又は再生する層の要求がない場合に、自動的に記録又は自動的に再生する層を選択する機能とを備え、
前記光ディスク装置に対してデータの記録再生を行う指令を与えることを特徴とする光ディスク記録再生アプリケーションプログラム。
【請求項１９】
請求項１１に記載の光ディスク装置に対応した光ディスク記録再生アプリケーションプログラムであって、
前記光ディスク装置を認識する機能と、
前記光ディスク装置から前記光ディスクの判定情報を受信する機能と、
前記光ディスク装置に対して前記プロテクト処理を行う指令を与えることを特徴とする光ディスク記録再生アプリケーションプログラム。
【請求項２０】
請求項１９に記載の光ディスク装置に対応した光ディスク記録再生アプリケーションプログラムにおいて、
使用者が記録層、又は再生層を選択する機能と、
使用者に対して記録可能な層、または再生可能な層を開示する機能と、
使用者から記録又は再生する層の要求がない場合に、自動的に記録する又は自動的に再生する層を選択する機能とを備え、
前記光ディスク装置に対してデータの記録再生を行う指令を与えることを特徴とする光ディスク記録再生アプリケーションプログラム。
【発明の詳細な説明】
【技術分野】
【０００１】
本発明は、複数の記録層を有する光ディスク及びそれらに対して記録再生する光ディスク装置及び光ディスク記録再生アプリケーションプログラムに関する。
【背景技術】
【０００２】
近年の映像情報やコンピュータデータ等の大容量化に伴い、それらを保存する光ディスク媒体として、ＣＤやＤＶＤに代わる大容量媒体であるＢｌｕ−ｒａｙ ＤｉｓｃやＨＤ ＤＶＤなどのディスクの開発と、それらのディスクに対して記録再生を行う光ディスク装置の開発が行われている。現在は、Ｂｌｕ−ｒａｙ ＤｉｓｃやＨＤ ＤＶＤにおいて、２層の記録再生層を持つディスクが市販されており、また今後は、さらなる大容量化を目的として３層以上の記録再生層を持つ多層ディスクの開発が行われることが予測される。
【０００３】
ここで、現在市販されている２層の記録層を持つＤＶＤやＢｌｕ−ｒａｙ Ｄｉｓｃ、ＨＤ ＤＶＤにおいては、ユーザがデータを記録する場合にデータを記録可能な状態にするフォーマット処理に対応している。また、ユーザがディスクにデータを追加して記録できない状態にするクローズ処理に対応している。また、ユーザが記録ディスクを再生専用ディスクのような状態にするファイナライズ処理に対応している。また、ユーザがディスクに対して一時的にデータを記録できない状態にするプロテクト処理に対応している。
【０００４】
一方、複数の記録層を備えた光ディスクに関する従来技術として、例えば以下の特許文献１によれば、複数の記録層を備えた光ディスクに対して適切な記録条件（記録波形パラメータ）を設定する方法として、光ビームの入射面から最も遠い記録層から順に選択してデータを試し書きし、この試し書きされたデータを再生して、上記波形パラメータを設定するものが知られている。
【０００５】
【特許文献１】特開２００３−３０８４２号公報
【発明の開示】
【発明が解決しようとする課題】
【０００６】
しかしながら、上記で述べた従来の２層の記録層を持つＤＶＤやＢｌｕ−ｒａｙ Ｄｉｓｃ、ＨＤ ＤＶＤにおいては、２層を一括でフォーマット処理、クローズ処理、ファイナライズ処理、プロテクト処理を行うようになっており、各層を独立させて、それぞれの処理を行うことができなかった。
【０００７】
そのため、例えば５０ＧＢの記録容量の光ディスクに対して、ユーザが４０ＧＢのデータを記録し、そのうちの２０ＧＢを保存しておき、新たに２０ＧＢのデータを記録するためのフォーマット処理を行うことができなかった。また、例えば５０ＧＢ記録容量の光ディスクに対して、２０ＧＢのデータを記録したところでクローズ処理を行った場合に、残りの３０ＧＢの記録容量が無駄になっていた。また、例えば５０ＧＢ記録容量の光ディスクに対して、２０ＧＢまでデータを記録したところでファイナライズ処理を行う場合には、残りの３０ＧＢの記録容量が無駄になっていた。また、例えば５０ＧＢ記録容量の光ディスクに対して、記録された２０ＧＢのデータのうちの１０ＧＢのデータは消去せずにプロテクト処理をし、残りの１０ＧＢのデータを消去することはできなかった。
【０００８】
一方、複数の記録再生層を持つ光ディスクに対して記録又は再生を行う光ディスク装置においては、従来技術のように、挿入された光ディスクの種類を判定した後、データを記録、又は再生を行うまでに、ディスクの感度補正を行うためのサーボ学習やレーザパワー学習を実施することが必要になるが、すべての層に対して各学習を実施した後にデータの記録又は再生を開始する場合には、層数に比例してデータを記録又は再生するまでの時間が長くなってしまう。
【０００９】
そこで本発明の目的は、複数の記録層を持つ光ディスクであり、各層を独立に又は複数の層で、フォーマット処理、クローズ処理、ファイナライズ処理、プロテクト処理を行うことができるようにする。また、本発明の目的は、光ディスク装置であり、前記複数の記録層を持つ光ディスクに対して、記録再生を行うことができるようにする。さらに、本発明の目的は、光ディスク記録再生アプリケーションプログラムであり、ユーザが所望の層を選択して、フォーマット処理、クローズ処理、ファイナライズ処理、プロテクト処理、及びデータの記録再生を行うことができるようにすることである。
【課題を解決するための手段】
【００１０】
本発明による光ディスクは、複数の記録層を有する光ディスクであって、各層を独立に又は複数の層で、フォーマット処理、又はクローズ処理、又はファイナライズ処理、又はプロテクト処理に対応し、さらに、ディスク上に各処理が実施された状態を管理する管理領域を備える。また、光ディスク装置であって、前記複数の記録層を有する光ディスクに対して、各処理を各層独立に又は複数の層で実施する手段を備える。
【発明の効果】
【００１１】
本発明によれば、複数の記録層を有する光ディスクに対して、各層を独立に又は複数の層で、フォーマット処理、クローズ処理、ファイナライズ処理、プロテクト処理を行うことが可能な光ディスク装置及び光ディスク記録再生アプリケーションプログラムであって、ディスクの記録領域を有効に活用することができるので、ユーザにとっても良好な光ディスク及び光ディスク装置及び光ディスク記録再生アプリケーションプログラムを提供できる。
【発明を実施するための最良の形態】
【００１２】
以下、本発明を光ディスク装置に採用した実施の形態である幾つかの実施例について、図面を参照しながら詳細に説明する。
【実施例１】
【００１３】
図１は、実施例１における複数の記録層を有する光ディスクの一例であり、記録層はＡ層からＤ層までの４層構造となっている。
【００１４】
図１に示す光ディスクは、各層を独立に又は複数の層で、データを記録可能な状態にするフォーマット処理に対応する。この場合はＢ層が独立にフォーマット処理されている。なお、Ｂ層がフォーマット処理されている情報は、光ディスク上のフォーマット管理領域１０１に記録される。
【００１５】
なお、本実施例１の場合は、フォーマット管理領域１０１はＡ層に配置されているが、他の層にあってもよい。また、フォーマット管理領域１０１は、光ディスク上のどの半径位置にあってもよい。さらに、フォーマット管理領域１０１は、光ディスク上に複数あってもよい。
【００１６】
以上実施例１では、各層を独立に又は複数の層にてフォーマット処理に対応することで、ユーザは記録するデータの容量に応じてディスクを有効利用することができるため、多層ディスクのユーザの使い勝手を向上することができる。
【実施例２】
【００１７】
図２は、実施例２における複数の記録層を有する光ディスクの一例であり、記録層はＡ層からＤ層までの４層構造となっている。
【００１８】
図２に示す光ディスクは、各層を独立に又は複数の層で、データを追加記録できない状態にするクローズ処理に対応する。この場合はＡ層が独立にクローズ処理されている。なお、Ａ層がクローズ処理されている情報は、光ディスク上のクローズ管理領域１０２に記録される。
【００１９】
なお、本実施例２の場合は、クローズ管理領域１０２はＡ層に配置されているが、他の層にあってもよい。また、クローズ管理領域１０２は、光ディスク上のどの半径位置にあってもよい。さらに、クローズ管理領域１０２は、光ディスク上に複数あってもよい。
【００２０】
以上実施例２では、各層を独立に又は複数の層においてクローズ処理に対応することで、ユーザは必要なデータを保存することができるため、多層ディスクのユーザの使い勝手を向上することができる。
【実施例３】
【００２１】
図３は、実施例３における複数の記録層を有する光ディスクの一例であり、記録層はＡ層からＤ層までの４層構造となっている。
【００２２】
図３に示す光ディスクは、各層を独立に又は複数の層で、再生専用ディスクのような状態にするファイナライズ処理に対応する。この場合はＣ層が独立にファイナライズ処理されている。なお、Ｃ層がファイナライズ処理されている情報は、光ディスク上のファイナライズ管理領域１０３に記録される。
【００２３】
なお、本実施例３の場合は、ファイナライズ管理領域１０３はＡ層に配置されているが、他の層にあってもよい。また、ファイナライズ管理領域１０３は、光ディスク上のどの半径位置にあってもよい。さらに、ファイナライズ管理領域１０３は、光ディスク上に複数あってもよい。
【００２４】
以上実施例３では、各層を独立に又は複数の層においてファイナライズ処理に対応することで、ユーザは必要なデータを保存することができるため、多層ディスクのユーザの使い勝手を向上することができる。
【実施例４】
【００２５】
図４は、実施例４における複数の記録層を有する光ディスクの一例であり、記録層はＡ層からＤ層までの４層構造となっている。
【００２６】
図４に示す光ディスクは、各層を独立に又は複数の層で、一時的にデータを記録できない状態にするプロテクト処理に対応する。この場合はＣ層とＤ層が独立にプロテクト処理されている。なお、Ｃ層とＤ層がプロテクト処理されている情報は、光ディスク上のプロテクト管理領域１０４に記録される。
【００２７】
なお、本実施例４の場合は、プロテクト管理領域１０４はＡ層に配置されているが、他の層にあってもよい。また、プロテクト管理領域１０４は、光ディスク上のどの半径位置にあってもよい。さらに、プロテクト管理領域１０４は、光ディスク上に複数あってもよい。
【００２８】
以上実施例４では、各層を独立に又は複数の層においてプロテクト処理に対応することで、ユーザは必要なデータを一時的に保存することができるため、多層ディスクのユーザの使い勝手を向上することができる。
【実施例５】
【００２９】
図５は、実施例５における光ディスク装置のブロック図である。
【００３０】
図５において、１は実施例１から実施例４で説明した複数の記録層を有する光ディスクである。光学機構である光ピックアップ２は、レーザを発光するレーザ光源３と、光ディスク１に対してレーザ光源３からのレーザ光を集光させる対物レンズ５と、光ディスク１からの反射光を受光するディテクタ６と、光ピックアップ２の収差を補正する収差補正機構７と、対物レンズ５を光ディスク１の垂直方向に駆動させるフォーカスアクチュエータ１０と、対物レンズ５を光ディスク１の半径方向に駆動させるトラッキングアクチュエータ１３と、対物レンズ５を光ディスク１のチルト方向に駆動させるチルトアクチュエータ１６とから構成されている。
【００３１】
また、レーザ発光制御回路４は、レーザ光源３から発光するレーザの発光パワーを制御する。
【００３２】
収差補正機構制御回路８は、対物レンズ５の収差を補正するように、収差補正機構用ドライバ９を介して収差補正機構７を駆動する。フォーカス制御回路１１は、ディテクタ６における受光信号に基づいて対物レンズ５が光ディスク１との合焦点距離を維持するためのフォーカスサーボ信号を生成し、フォーカスアクチュエータドライバ１２を介してフォーカスアクチュエータ１０を駆動する。トラッキング制御回路１４は、ディテクタ６における受光信号に基づいて対物レンズ５が光ディスク１上のトラックを追従するためのトラッキングサーボ信号を生成し、トラッキングアクチュエータドライバ１５を介してトラッキングアクチュエータ１３を駆動する。チルト制御回路１７は、対物レンズ５が光ディスク１の各記録層の反り量に合わせて動作するためのチルトサーボ信号を生成し、チルトアクチュエータドライバ１８を介してチルトアクチュエータ１６を駆動する。
【００３３】
ディスク回転制御回路２０は、光ディスク１が所定の回転数で回転するように、ディスクモータドライバ２１を介してディスクモータ１９を駆動する。スライダ制御回路２４は、スライダ駆動ドライバ２３を解して光ピックアップ２を光ディスク１の半径方向に移動させるためのスライダ機構２２を駆動する。媒体判定回路２５は、ディテクタ６における受光信号に基づいて光ディスク１の種類を判定する。
【００３４】
さらに、状態コントローラ２６は、光ディスク１に対してフォーマット処理を行うためのプログラムＰ１、及びクローズ処理を行うためのプログラムＰ２、及びファイナライズ処理を行うためのプログラムＰ３、及びプロテクト処理を行うためのプログラムＰ４を内蔵する。また、プログラムＰ１は、フォーマット処理後に光ディスク１上のフォーマット管理領域の情報を更新し、プログラムＰ２は、クローズ処理後に光ディスク１上のクローズ管理領域の情報を更新し、プログラムＰ３は、ファイナライズ処理後に光ディスク１上のファイナライズ管理領域の情報を更新し、プログラムＰ４は、プロテクト処理後に光ディスク１上のプロテクト管理領域の情報を更新する。
【００３５】
ここで、状態コントローラ２６が、レーザ発光制御回路４、収差補正機構制御回路８、フォーカス制御回路１１、トラッキング制御回路１４、チルト制御回路１７、ディスク回転制御回路２０、スライダ制御回路２４に指令を送ることにより、フォーマット処理プログラムＰ１、又はクローズ処理プログラムＰ２、又はファイナライズ処理プログラムＰ３、又はプロテクト処理プログラムＰ４を実行する。
【００３６】
続いて、図５に示す光ディスク装置においいてフォーマット処理、又はクローズ処理、又はファイナライズ処理、又はプロテクト処理が実行される際の動作について、図６のフローチャートを用いて説明する。
【００３７】
まず、光ディスク装置に光ディスク１が挿入されると、媒体判定回路２５において光ディスク１の種類を判定される（Ｓ６０１）。
【００３８】
次に、光ディスク装置が所望の層でフォーマット処理、又はクローズ処理、又はファイナライズ処理、又はプロテクト処理の指令を受信すると（Ｓ６０２）、状態コントローラ２６はディスク回転制御回路２０に対してディスクモータ１９を所定の回転数で回転させる（Ｓ６０３）ように指令を送り、また、状態コントローラ２６はレーザ発光制御回路４に対してレーザ発光を所定の状態にさせる（Ｓ６０４）ように指令を送る。さらに、状態コントローラ２６は、フォーカス制御回路１１、及びトラッキング制御回路１４、及びチルト制御回路１７、及び収差補正機構制御回路８、及びスライダ制御回路２４に対して、それぞれフォーカスアクチュエータ１０、及びトラッキングアクチュエータ１３、及びチルトアクチュエータ１６、及び収差補正機構７、及びスライダ移動機構２２を所定の位置に移動させる（Ｓ６０５）ように指令を送る。
【００３９】
その後、状態コントローラ２６はプログラムＰ１からＰ４により、フォーマット処理、又はクローズ処理、又はファイナライズ処理、又はプロテクト処理を実行し（Ｓ６０６）、最後にフォーマット管理領域、又はクローズ管理領域、又はファイナライズ管理領域、又はプロテクト管理領域が更新される（Ｓ６０７）。
【００４０】
なお、ディスク上の各管理領域が更新されるタイミングは、フォーマット処理、又はクローズ処理、又はファイナライズ処理、又はプロテクト処理が実行される前と実行された後でもよい。
【００４１】
また、本実施例５の光ディスク装置では、フォーマット処理を行うためのプログラムＰ１、及びクローズ処理を行うためのプログラムＰ２、及びファイナライズ処理を行うためのプログラムＰ３、及びプロテクト処理を行うためのプログラムＰ４を内蔵しているが、Ｐ１からＰ４のうち少なくと１つのプログラムを内蔵していてもよい。
【００４２】
以上実施例５では、複数の記録層を有する光ディスクに対して、各層を独立に又は複数の層で、フォーマット処理、クローズ処理、ファイナライズ処理、プロテクト処理を行う光ディスク装置を提供することで、ユーザは記録するデータの容量に応じてディスクを有効利用することができ、必要な記録データを保存することができるため、多層ディスクのユーザの使い勝手を向上することができる。
【実施例６】
【００４３】
図７は、実施例６における光ディスク装置のブロック図であり、符号１から２６までの動作及び機能については、前記実施例５における図５の符号１から２６の説明と同様であるため、それらの説明については省略する。
【００４４】
図７において、ディスク情報再生回路２７は、光ディスク１上の前記フォーマット管理領域に記録されている情報を読み出すフォーマット情報再生回路Ｒ１、及び前記クローズ管理領域に記録されている情報を読み出すクローズ情報再生回路Ｒ２、及び前記ファイナライズ管理領域に記録されている情報を読み出すファイナライズ情報再生回路Ｒ３、及び前記プロテクト管理領域に記録されている情報を読み出すプロテクト情報再生回路Ｒ４を備える。
【００４５】
また、ディスク状態判定回路２８では、ディスク情報再生回路１７にて各管理領域を再生した結果より、光ディスク１のどの層に対してフォーマット処理が実施されているか否かを判定するフォーマット状態判定回路Ｊ１、及びどの層に対してクローズ処理が実施されているか否かを判定するクローズ状態判定回路Ｊ２、及びどの層に対してファイナライズ処理が実施されているか否かを判定するファイナライズ状態判定回路Ｊ３、及びどの層に対してプロテクト処理が実施されているか否かを判定するプロテクト状態判定回路Ｊ４を備える。
【００４６】
さらに、学習コントローラ２９は、レーザ発光制御回路４、又は収差補正機構制御回路８、又はフォーカス制御回路１１、又はトラッキング制御回路１４、又はチルト制御回路１７に対して、光ディスク１の各記録層にて感度補正を行うための学習プログラムＰ５を内蔵する。
【００４７】
ここで、学習コントローラ２９は、ディスク状態判定回路２８の判定結果に基づいて、フォーマット処理、又はクローズ処理、又はファイナライズ処理、又はプロテクト処理が実施される層あるいは実施された層に対して学習プログラムＰ５を実行する。
【００４８】
続いて、図７に示す光ディスク装置において学習プログラムが実行される際の動作について、図８のフローチャートを用いて説明する。
【００４９】
まず、光ディスク装置に光ディスク１が挿入されると、媒体判定回路２５において光ディスク１の種類を判定される（Ｓ８０１）。
【００５０】
次に、状態コントローラ２６はディスク回転制御回路２０に対してディスクモータ１９を所定の回転数で回転させる（Ｓ８０２）ように指令を送り、また、状態コントローラ２６はレーザ発光制御回路４に対してレーザ発光を所定の状態にさせる（Ｓ８０３）ように指令を送る。さらに、状態コントローラ２６は、フォーカス制御回路１１、及びトラッキング制御回路１４、及びチルト制御回路１７、及び収差補正機構制御回路８、及びスライダ制御回路２４に対して、それぞれフォーカスアクチュエータ１０、及びトラッキングアクチュエータ１３、及びチルトアクチュエータ１６、及び収差補正機構７、及びスライダ移動機構２２を所定の位置に移動させる（Ｓ８０４）ように指令を送る。
【００５１】
その後、ディスク状態判定回路２８では、ディスク情報再生回路２７にて各管理領域を再生した結果より、光ディスク１のどの層に対してフォーマット処理、又はクローズ処理、又はファイナライズ処理、又はプロテクト処理が実施されているか否かを判定する（Ｓ８０５）。
【００５２】
最後に、学習コントローラ２９は、ディスク状態判定回路２８からの判定に基づいて学習プログラムＰ５を実行することで、レーザ発光制御回路４、又は収差補正機構制御回路８、又はフォーカス制御回路１１、又はトラッキング制御回路１４、又はチルト制御回路１７に対して、フォーマット処理、又はクローズ処理、又はファイナライズ処理、又はプロテクト処理が実施される層あるいは実施された層において感度補正を行う（Ｓ８０６）。
【００５３】
また、本実施例６の光ディスク装置では、フォーマット処理を行うためのプログラムＰ１とフォーマット情報再生回路Ｒ１とフォーマット状態判定回路Ｊ１、及びクローズ処理を行うためのプログラムＰ２とクローズ情報再生回路Ｒ２とクローズ状態判定回路Ｊ２、及びファイナライズ処理を行うためのプログラムＰ３とファイナライズ情報再生回路Ｒ３とファイナライズ状態判定回路Ｊ３、及びプロテクト処理を行うためのプログラムＰ４とプロテクト情報再生回路Ｒ４とプロテクト状態判定回路Ｊ４を備えているが、Ｐ１とＲ１とＪ１からＰ４とＲ４とＪ４の組み合わせうち、少なくと１つの組み合わせが実装されていてもよい。
【００５４】
以上実施例６では、複数の記録層を有する光ディスクに対して、各層を独立に又は複数の層で、フォーマット処理、クローズ処理、ファイナライズ処理、プロテクト処理を行う光ディスク装置において、光ディスクのどの層に対して各処理が実施されているか否かを判定し、各処理が実施される層あるいは実施された層に対して感度補正を行うための学習プログラム備えることで、光ディスクからデータを再生、又は光ディスクにデータを記録するまでに時間を従来の方式よりも短縮することができ、また、ユーザは記録するデータの容量に応じてディスクを有効利用することができ、必要な記録データを保存することができるため、多層ディスクのユーザの使い勝手を向上することができる。
【実施例７】
【００５５】
図９は、前記実施例１から実施例４において説明したＡ層からＤ層までの記録層を有する光ディスク、及び前記実施例５又は実施例６において説明した光ディスク装置に対応する光ディスク記録再生アプリケーションプログラムのフォーマットに関するユーザ操作画面の一例である。ここで、本実施例７の光ディスク記録再生アプリケーションプログラムは、光ディスク装置を認識して、光ディスク装置において判定した光ディスク情報を受信する機能を備える。
【００５６】
図９のユーザ操作画面（９０１）においては、受信した光ディスク情報に基づき、ユーザに対してディスクの各層の情報を開示する（９０２）。例えば本実施例７では、Ｂ層は既にフォーマットされた状態であり、Ｄ層は既にプロテクト処理がされた状態である。
【００５７】
また、ユーザがフォーマットする層を選択できるように選択画面を表示する（９０３）。
【００５８】
さらに、本実施例７では、A層とＢ層とC層に対してはフォーマット処理することができるが、Ｄ層はプロテクトされた状態であるため、Ｄ層に対してはフォーマット処理ができないようになっている。
【００５９】
以上実施例７では、ユーザは複数の層のうち利用したい層を選択して、フォーマット処理をすることができるため、多層ディスクのユーザの使い勝手を向上することができる。
【実施例８】
【００６０】
図１０は、前記実施例１から実施例４において説明したＡ層からＤ層までの記録層を有する光ディスク、及び前記実施例５又は実施例６において説明した光ディスク装置に対応する光ディスク記録再生アプリケーションプログラムのクローズに関するユーザ操作画面の一例である。ここで、本実施例８の光ディスク記録再生アプリケーションプログラムは、光ディスク装置を認識して、光ディスク装置において判定した光ディスク情報を受信する機能を備える。
【００６１】
図１０のユーザ操作画面（１００１）においては、受信した光ディスク情報に基づき、ユーザに対してディスクの各層の情報を開示する（１００２）。例えば本実施例８では、Ａ層は既にクローズ処理がされた状態であり、Ｄ層はプロテクト処理がされた状態である。
【００６２】
また、ユーザがクローズする層を選択できるように選択画面を表示する（１００３）。本実施例８では、Ｂ層とＣ層に対してはクローズ処理することができるが、Ａ層がクローズされた状態であるために、Ａ層に対しては再度クローズ処理することができないようになっている。また、Ｄ層はプロテクトされた状態であるため、Ｄ層に対してはクローズ処理ができないようになっている。
【００６３】
以上実施例８では、ユーザは複数の層のうち利用したい層を選択して、クローズ処理をすることができるため、多層ディスクのユーザの使い勝手を向上することができる。
【実施例９】
【００６４】
図１１は、前記実施例１から実施例４において説明したＡ層からＤ層までの記録層を有する光ディスク、及び前記実施例５又は実施例６において説明した光ディスク装置に対応する光ディスク記録再生アプリケーションプログラムのファイナライズに関するユーザ操作画面の一例である。ここで、本実施例９の光ディスク記録再生アプリケーションプログラムは、光ディスク装置を認識して、光ディスク装置において判定した光ディスク情報を受信する機能を備える。
【００６５】
図１１のユーザ操作画面（１１０１）においては、受信した光ディスク情報に基づき、ユーザに対してディスクの各層の情報を開示する（１１０２）。例えば本実施例９では、Ｃ層はファイナライズ処理がされて状態であり、Ｄ層はプロテクト処理がされた状態である。
【００６６】
また、ユーザがファイナライズする層を選択できるように選択画面を表示する（１１０３）。本実施例９では、Ａ層とＢ層に対してはファイナライズ処理することができるが、Ｃ層がファイナライズ処理された状態であるために、C層に対しては再度ファイナライズ処理することができないようになっている。また、Ｄ層はプロテクトされた状態であるため、Ｄ層に対してはファイナライズ処理できないようになっている。
【００６７】
以上実施例９では、ユーザは複数の層のうち利用したい層を選択して、ファイナライズ処理をすることができるため、多層ディスクのユーザの使い勝手を向上することができる。
【実施例１０】
【００６８】
図１２は、前記実施例１から実施例４において説明したＡ層からＤ層までの記録層を有する光ディスク、及び前記実施例５及び実施例６において説明した光ディスク装置に対応した光ディスク記録再生アプリケーションプログラムのプロテクトに関するユーザ操作画面の一例である。ここで、本実施例１０の光ディスク記録再生アプリケーションプログラムは、光ディスク装置を認識して、光ディスク装置において判定した光ディスク情報を受信する機能を備える。
【００６９】
図１２のユーザ操作画面（１２０１）においては、受信した光ディスク情報に基づき、ユーザに対してディスクの各層の情報を開示する（１２０２）。例えば本実施例１０では、Ｃ層とＤ層はプロテクト処理がされた状態である。
【００７０】
また、ユーザがプロテクトする層を選択できるように選択画面を表示する（１２０３）。本実施例９では、Ａ層とＢ層に対してはプロテクト処理することができるが、Ｃ層とＤ層がプロテクトされた状態であるため、Ｃ層とＤ層に対してはプロテクトを解除するかどうか選択することができる。
【００７１】
以上実施例４では、ユーザは複数の層のうち利用したい層を選択して、プロテクト処理をすることができるため、多層ディスクのユーザの使い勝手を向上することができる。
【実施例１１】
【００７２】
図１３は、前記実施例１から実施例４において説明したＡ層からＤ層までの記録層を有する光ディスク、及び前記実施例５及び実施例６において説明した光ディスク装置に対応した光ディスク記録再生アプリケーションプログラムのデータの記録再生に関するユーザ操作画面の一例である。ここで、本実施例１１の光ディスク記録再生アプリケーションプログラムは、光ディスク装置を認識して、光ディスク装置において判定した光ディスク情報を受信し、光ディスクにデータを記録及び再生する機能を備える。
【００７３】
図１３のユーザ操作画面（１３０１）においては、受信した光ディスク情報に基づき、ユーザに対してディスクの各層の情報を開示する（１３０２）。例えば本実施例１１では、Ａ層は記録容量２５ＧＢのうち２０ＧＢのデータが記録されており、Ｂ層は記録容量２５ＧＢのうち５ＧＢのデータが記録されており、Ｃ層はファイナライズ処理がされた状態であり、Ｄ層はフォーマット処理がされていない未フォーマット状態である。
【００７４】
また、ユーザがデータを記録する層を選択できるように選択画面を表示する（１３０３）。本実施例では、Ｃ層がファイナライズ処理された状態であるために、Ｃ層に対してはデータが記録できないようになっている。また、Ｄ層は未フォーマットの状態であるため、Ｄ層に対してはフォーマット処理が実施されないとデータが記録できないようになっている。
【００７５】
さらに、ユーザがデータを再生する層を選択できるように選択画面を表示する（１３０４）。本実施例では、Ｄ層は未フォーマットの状態であるため、Ｄ層に対しては再生が選択できないようになっている。
【００７６】
一方、ユーザが記録する層を要求しない場合に、光ディスク記録再生アプリケーションプログラムが自動的に記録するための選択画面を表示する（１３０５）。また、ユーザが再生する層を要求しない場合に、光ディスク記録再生アプリケーションプログラムが自動的に再生するための選択画面を表示する（１３０６）。
【００７７】
以上実施例１１では、ユーザは複数の層のうち利用したい層を選択して、データを記録及び再生することができるため、多層ディスクのユーザの使い勝手を向上することができる。
【図面の簡単な説明】
【００７８】
【図１】本発明の実施例１となるフォーマットされた光ディスクの断面図
【図２】本発明の実施例２となるクローズされた光ディスクの断面図
【図３】本発明の実施例３となるファイナライズされた光ディスクの断面図
【図４】本発明の実施例４となるプロテクトされた光ディスクの断面図
【図５】本発明の実施例５となる光ディスク装置のブロック図
【図６】本発明の実施例５におけるフローチャート
【図７】本発明の実施例６における光ディスク装置のブロック図
【図８】本発明の実施例６におけるフローチャート
【図９】本発明の実施例７となる光ディスク記録再生アプリケーションプログラムのユーザ操作画面
【図１０】本発明の実施例８となる光ディスク記録再生アプリケーションプログラムのユーザ操作画面
【図１１】本発明の実施例９となる光ディスク記録再生アプリケーションプログラムのユーザ操作画面
【図１２】本発明の実施例１０となる光ディスク記録再生アプリケーションプログラムのユーザ操作画面
【図１３】本発明の実施例１１となる光ディスク記録再生アプリケーションプログラムのユーザ操作画面
【符号の説明】
【００７９】
１・・・光ディスク、２・・・光ピックアップ、３・・・レーザ光源、４・・・レーザ発光制御回路、５・・・対物レンズ、６・・・ディテクタ、７・・・収差補正機構、８・・・収差補正機構制御回路、９・・・収差補正機構用ドライバ、１０・・・フォーカスアクチュエータ、
１１・・・フォーカス制御回路、１２・・・フォーカスアクチュエータドライバ、
１３・・・トラッキングアクチュエータ、１４・・・トラッキング制御回路、
１５・・・トラッキングアクチュエータドライバ、１６・・・チルトアクチュエータ、
１７・・・チルト制御回路、１８・・・チルトアクチュエータドライバ、１９・・・ディスクモータ、２０・・・ディスク回転制御回路、２１・・・ディスクモータドライバ、２２・・・スライダ機構、２３・・・スライダ駆動ドライバ、２４・・・スライダ制御回路、２５・・・媒体判別回路、
２６・・・状態コントローラ、２７・・・ディスク情報再生回路、２８・・・ディスク状態判定回路、２９・・・学習コントローラ。
Ｐ１・・・フォーマット処理プログラム、Ｐ２・・・クローズ処理プログラム、
Ｐ３・・・ファイナライズ処理プログラム、Ｐ４・・・プロテクト処理プログラム、
Ｒ１・・・フォーマット情報再生回路、Ｒ２・・・クローズ情報再生回路、
Ｒ３・・・ファイナライズ情報再生回路、Ｒ４・・・プロテクト情報再生回路、
Ｊ１・・・フォーマット状態判定回路、Ｊ２・・・クローズ状態判定回路、
Ｊ３・・・ファイナライズ状態判定回路、Ｊ４・・・プロテクト状態判定回路、
Ｐ５・・・学習プログラム。
【図１】
2008282460.tif 000003
【図２】
2008282460.tif 000004
【図３】
2008282460.tif 000005
【図４】
2008282460.tif 000006
【図５】
2008282460.tif 000007
【図６】
2008282460.tif 000008
【図７】
2008282460.tif 000009
【図８】
2008282460.tif 000010
【図９】
2008282460.tif 000011
【図１０】
2008282460.tif 000012
【図１１】
2008282460.tif 000013
【図１２】
2008282460.tif 000014
【図１３】
2008282460.tif 000015